(57)【要約】【課題】体液の吸収速度を高速に保ちつつ、ゲルブロック対策がなされた吸収体及びそれを備えた吸収性物品を提供する。【解決手段】本発明の吸収性物品用の吸収体１は、液吸収性を有する吸収性コア２と、該吸収性コア２を被覆するコアラップシート４と、を備える。吸収性コア２は、熱可塑性繊維を有する繊維層５と、該繊維層５に分散して配置される、Ｖｏｒｔｅｘ法による吸収速度が２５秒以下の高吸収性ポリマー粒子６と、を含有し、該高吸収性ポリマー粒子６は、肌側面に配置される第１粒子６Ａと、着衣側面に配置される、第１粒子６Ａより粒径の大きい第２粒子６Ｂと、を含む。【選択図】図１
2013252333.tif 000002
【特許請求の範囲】
【請求項１】
液吸収性を有する吸収性コアと、該吸収性コアを被覆するコアラップシートと、を備える吸収性物品用の吸収体であって、
前記吸収性コアは、
熱可塑性繊維を有する繊維層と、
該繊維層に分散して配置される、Ｖｏｒｔｅｘ法による吸収速度が２５秒以下の高吸収性ポリマー粒子と、を含有し、
該高吸収性ポリマー粒子は、
肌側面に配置される第１粒子と、
着衣側面に配置される、前記第１粒子より粒径の大きい第２粒子と、を含むこと、
を特徴とする吸収性物品用の吸収体。
【請求項２】
請求項１に記載の吸収性物品用の吸収体であって、
前記第１粒子のＶｏｒｔｅｘ法による吸収速度は、前記第２粒子のＶｏｒｔｅｘ法による吸収速度よりも小さいこと、
を特徴とする吸収性物品用の吸収体。
【請求項３】
前記第１粒子のＶｏｒｔｅｘ法による吸収速度に対する前記第２粒子のＶｏｒｔｅｘ法による吸収速度の比は、１．０〜１．５の範囲である請求項２に記載の吸収体。
【請求項４】
請求項２又は３に記載の吸収性物品用の吸収体であって、
前記第１粒子はＶｏｒｔｅｘ法による吸収速度が２２秒以下であり、
前記第２粒子はＶｏｒｔｅｘ法による吸収速度が２２秒より大きく２５秒以下であること、
を特徴とする吸収性物品用の吸収体。
【請求項５】
請求項１から４のいずれか１項に記載の吸収性物品用の吸収体であって、
前記第１粒子の粒径は１５０μｍ〜４５０μｍであり、
前記第２粒子の粒径は３５０μｍ〜８５０μｍであること、
を特徴とする吸収性物品用の吸収体。
【請求項６】
請求項１から５のいずれか１項に記載の吸収性物品用の吸収体であって、
前記吸収性コアの着衣側に、親水性繊維シートを含むこと、
を特徴とする吸収性物品用の吸収体。
【請求項７】
請求項１から６のいずれか１項に記載の吸収性物品用の吸収体であって、
前記コアラップシートは、前記吸収性コアの肌側面側に配置される部分の坪量が、
前記吸収性コアの着衣側面側に配置される部分より小さいこと、
を特徴とする吸収性物品用の吸収体。
【請求項８】
請求項１から７のいずれか１項に記載の吸収性物品用の吸収体であって、
前記コアラップシートは、前記吸収性コアの着衣側面側に配置される部分の枚数が、前記吸収性コアの肌側面側に配置される枚数より多いこと、
を特徴とする吸収性物品用の吸収体。
【請求項９】
請求項１から８のいずれか１項に記載の吸収性物品用の吸収体であって、
前記吸収性コアにおける、前記第１粒子が配置されている領域での該第１粒子の坪量は、前記第２粒子が配置されている領域での該第２粒子の坪量よりも小さいこと、
を特徴とする吸収性物品用の吸収体。
【請求項１０】
液透過性表面シートと、液不透過性裏面シートと、前記液透過性表面シートと前記液不透過性裏面シートとの間に介在する請求項１から９のいずれか１項に記載の吸収体と、を備えると共に、長手方向に沿って、前胴周り域と、後胴周り域と、これら両域間に位置する股下域とを備える吸収性物品であって、
前記股下域には、その幅方向の側縁側に、前記吸収性物品の着用時に前記吸収性コアから立設する一対の防液カフが設けられ、
前記防液カフはそれぞれ、
前記着用時に収縮して該防液カフを立設させる２以上の弾性部材と、
該防液カフにおける、前記液透過性表面シートに取り付けられている部分から、前記弾性部材のうちの最も幅方向外側に配置された弾性部材よりも内側まで延びている液不透過性フィルムと、を有すること、
を特徴とする吸収性物品。
【発明の詳細な説明】
【技術分野】
【０００１】
本発明は、吸収体に関する。より詳しくは、使い捨ておむつや生理用ナプキン等の吸収性物品に好適に用いることのできる吸収体及びそれを備えた吸収性物品に関する。
【背景技術】
【０００２】
従来、使い捨ておむつや生理用ナプキン等の吸収性物品では、パルプ等の親水性繊維材料と、この親水性繊維材料に分散された高吸収性ポリマー粒子と、からなる吸収体が用いられている。このような吸収体において、吸収性物品を着用する着用者から排泄された尿や経血等の液体は、まず、吸収速度の早い親水性繊維材料に吸収され、その後、高吸収性ポリマー粒子に吸収される。
また、吸収体を、熱可塑性繊維層からなる繊維層とこの繊維層に分散されて配置された高吸収性ポリマー粒子と、を含んで構成すると共に、高吸収性ポリマー粒子の含有量を多くすることで、吸収体の厚さを薄くしつつ液体の吸収性を高く保つ技術も提案されている（例えば、特許文献１参照）。
【先行技術文献】
【特許文献】
【０００３】
【特許文献１】特開平１０−１１８１１３号公報
【発明の概要】
【発明が解決しようとする課題】
【０００４】
しかし、高吸収性ポリマー粒子の含有量を多くすると、体液を吸収する際に、膨潤した高吸収性ポリマー粒子間で合着するゲルブロックが発生する。一方、ゲルブロックを避けるために高吸収性ポリマー粒子の含有量を少なくすると、体液の吸収速度が遅くなる。
【０００５】
本発明は、体液の吸収速度を高速に保ちつつ、ゲルブロック対策がなされた吸収体及びそれを備えた吸収性物品を提供することを目的とする。
【課題を解決するための手段】
【０００６】
本発明は、液吸収性を有する吸収性コアと、該吸収性コアを被覆するコアラップシートと、を備える吸収性物品用の吸収体であって、前記吸収性コアは、熱可塑性繊維を有する繊維層と、該繊維層に分散して配置される高吸収性ポリマー粒子と、を含有し、該高吸収性ポリマー粒子は、肌側面に配置される第１粒子と、着衣側面に配置される、前記第１粒子より粒径の大きい第２粒子と、を含み、前記第１粒子はＶｏｒｔｅｘ法による吸収速度が２２秒以下であり、前記第２粒子はＶｏｒｔｅｘ法による吸収速度が２２秒より大きく２５秒以下であること、を特徴とする吸収性物品用の吸収体に関する。
【０００７】
前記第１粒子のＶｏｒｔｅｘ法による吸収速度は、前記第２粒子のＶｏｒｔｅｘ法による吸収速度よりも小さいことが好ましい。
【０００８】
前記第１粒子はＶｏｒｔｅｘ法による吸収速度が２２秒以下であり、前記第２粒子はＶｏｒｔｅｘ法による吸収速度が２２秒より大きく２５秒以下であることが好ましい。
【０００９】
前記第２粒子のＶｏｒｔｅｘ法による吸収速度に対する前記第１粒子のＶｏｒｔｅｘ法による吸収速度の比は、１．０〜１．５の範囲であることが好ましい。
【００１０】
前記第１粒子の粒径は３５０μｍ〜８５０μｍであり、前記第２粒子の粒径は１５０μｍ〜４５０μｍであることが好ましい。
【００１１】
前記吸収性コアの着衣側に、親水性繊維シートを含むことが好ましい。
【００１２】
前記コアラップシートは、前記吸収性コアの肌側面側に配置される部分の坪量が、前記吸収性コアの着衣側面側に配置される部分より小さいこと、が好ましい。
【００１３】
前記コアラップシートは、前記吸収性コアの着衣側面側に配置される部分の枚数が、前記吸収性コアの肌側面側に配置される枚数より多いこと、が好ましい。
【００１４】
前記吸収性コアにおける、前記第１粒子が配置されている領域での該第１粒子の坪量は、前記第２粒子が配置されている領域での該第２粒子の坪量よりも小さいこと、が好ましい。
【００１５】
また、本発明は、液透過性表面シートと、液不透過性裏面シートと、前記液透過性表面シートと前記液不透過性裏面シートとの間に介在する上述の吸収性コアと、を備えると共に、長手方向に沿って、前胴周り域と、後胴周り域と、これら両域間に位置する股下域とを備える吸収性物品であって、前記股下域には、その幅方向の側縁側に、前記吸収性物品の着用時に前記吸収性コアから立設する一対の防液カフが設けられ、前記防液カフはそれぞれ、前記着用時に収縮して該防液カフを立設させる２以上の弾性部材と、該防液カフにおける、前記液透過性表面シートに取り付けられている部分から、前記弾性部材のうちの最も幅方向外側に配置された弾性部材よりも内側まで延びている液不透過性フィルムと、を有すること、を特徴とする吸収性物品に関する。
【発明の効果】
【００１６】
本発明によると、体液の吸収速度を高速に保ちつつ、表面においてゲルブロックが発生した場合にも液漏れの生じにくい吸収体及びそれを備えた吸収性物品を提供することができる。
【図面の簡単な説明】
【００１７】
【図１】本発明の第１実施形態にかかる使い捨ておむつや生理用ナプキン等の吸収性物品に用いられる本発明の吸収体の断面図である。
【図２】本発明の第２実施形態にかかる使い捨ておむつや生理用ナプキン等の吸収性物品に用いられる本発明の吸収体の断面図である。
【図３】本発明の第３実施形態にかかる使い捨ておむつや生理用ナプキン等の吸収性物品に用いられる本発明の吸収体の断面図である。
【図４】本発明の第４実施形態にかかる使い捨ておむつや生理用ナプキン等の吸収性物品に用いられる本発明の吸収体の断面図である。
【図５】本発明の第５実施形態であり、第１実施形態の吸収体を用いた使い捨ておむつの展開図である。
【図６】おむつを着用状態にしたときの、図５のＸ−Ｘ線断面図である。
【発明を実施するための形態】
【００１８】
（第１実施形態）
以下、本発明の第１実施形態の吸収体１について説明する。
図１は、後述する使い捨ておむつや生理用ナプキン等の吸収性物品に用いられる吸収体１の断面図である。
図示するように、吸収体１は、吸収性コア２と、吸収性コア２の着衣側に配置される繊維シート３と、吸収性コア２と繊維シート３とを被覆するコアラップシート４とを備える薄型のシート体である。
吸収性コア２は、熱可塑性繊維からなる繊維層５に高吸収性ポリマー粒子６が分散したものである。吸収性コア２は、肌と対向する側（肌と当接する側）となる肌側面２Ａと、着衣と対向する側（着衣と当接する側）となる着衣側面２Ｂとを有する。
【００１９】
繊維層５は、熱可塑性繊維の一部が熱融着して形成された３次元の網目構造を有している。繊維層５を構成する熱可塑性繊維としては、繊度が０．５ｄｔｅｘ〜１０ｄｔｅｘのものが好適に用いられる。また、繊維層５の吸水性を向上させる観点から、熱可塑性繊維には、親水化処理が施されることが好ましい。また、繊維層５に含まれる繊維全体の坪量は、２０ｇ〜１００ｇ／ｍ２であることが好ましく、繊維層５の見かけの密度は、０．０１ｇ〜０．０５ｇ／ｃｍ３であることが好ましい。
【００２０】
繊維層５を構成する熱可塑性繊維としては、低融点成分からなるシース部と高融点成分からなるコア部とを備えるシースコア型の複合繊維に親水化処理を施し、さらに機械捲縮加工を施した捲縮繊維や、熱収縮率の異なる２つの樹脂成分により構成されるサイドバイサイド型の潜在捲縮性繊維が挙げられる。
【００２１】
高吸収性ポリマー粒子６は、繊維層５に分散して配置される。高吸収性ポリマー粒子６としては、少なくとも２０ｇ／ｇの保水率を有するものを用いることが好ましい。
高吸収性ポリマー粒子６は、熱可塑性繊維と共に積繊されて熱可塑性繊維中に分散配置される。そして、その後、熱可塑性繊維が熱融着されることで、繊維層５が形成され、この繊維層５中に高吸収性ポリマー粒子６が分散配置されることとなる。
【００２２】
第１実施形態の吸収性コア２は、４０重量％〜５重量％の熱可塑性繊維と、６０重量％〜９５重量％の高吸収性ポリマー粒子と、により形成される。
【００２３】
本発明で用いられる高吸収性ポリマー粒子６は、ＪＩＳ  Ｋ  ７２２４に準拠したＶｏｒｔｅｘ法による吸収速度が２５秒以下の吸収速度の早いものである。本実施形態においては、高吸収性ポリマー粒子６は、吸収性コア２の肌側面２Ａ側に存在する第１粒子６Ａと、吸収性コア２の着衣側面２Ｂ側に存在する第２粒子６Ｂと、を含む。そして、高吸収性ポリマー粒子６のうちの、吸収性コア２の肌側面２Ａ側に存在する第１粒子６Ａの粒径は、吸収性コア２の着衣側面２Ｂ側に存在する第２粒子６Ｂの粒径より小さい。
具体的には、第１粒子の粒径は３５０μｍ〜８５０μｍであり、第２粒子の粒径は１５０μｍ〜４５０μｍであることが好ましい。
【００２４】
「肌側面２Ａ側に存在する第１粒子６Ａの粒径」とは、例えば、吸収性コア２を肌側面２Ａから写真撮影し、撮影された写真内の粒子の径を計測して平均した値である。例えば、吸収性コア２における１０平方センチメートル等の単位面積内の粒子の平均粒径を測定する。
「着衣側面２Ｂ側に存在する第２粒子６Ｂの粒径」も、例えば、吸収性コア２を着衣側面２Ｂから写真撮影し、撮影された写真内の粒子の径を計測し、平均した値である。例えば、吸収性コア２における１０平方センチメートル等の単位面積内の粒子の平均粒径を測定する。
【００２５】
また、第１粒子６ＡのＶｏｒｔｅｘ法による吸収速度は、第２粒子６ＢのＶｏｒｔｅｘ法による吸収速度よりも大きい。具体的には、第１粒子６Ａは、Ｖｏｒｔｅｘ法による吸収速度が２２秒以下であり、第２粒子６Ｂは、Ｖｏｒｔｅｘ法による吸収速度が２２秒より大きく２５秒以下である。すなわち、吸収性コア２においては、肌側のほうが着衣側よりも体液の吸収が速い。また、第２粒子のＶｏｒｔｅｘ法による吸収速度に対する第１粒子のＶｏｒｔｅｘ法による吸収速度の比は、１．０〜１．５の範囲であることが好ましい。
【００２６】
Ｖｏｒｔｅｘ法による吸収速度は、２．０ｇの高吸収性ポリマー粒子６が０．９％の生理食塩水５０ｇを吸収するのに要する時間で表される。高吸収性ポリマー粒子６の保水率は、１ｇの高吸収性ポリマー粒子６を０．９％生理食塩水１ｌに１時間浸漬し、１５分間の水切りをしてから８５０ｒｐｍで９０秒間遠心分離した後の重量によって表される。
【００２７】
また、図１に一例として示す高吸収性ポリマー粒子６の形状は表面が滑らかな球形であるが、これに限定されず、例えば、高吸収性ポリマー粒子の表面に凹凸があっても良い。表面に凹凸があると、高吸収性ポリマー粒子６は、繊維層５に引っ掛かり易く、吸収性コア２から脱落し難くなると共に、表面積が相対的に大きくなるので、吸収速度も向上する。さらに、高吸収性ポリマー粒子６は、球形でなく、楕円や立方体や円錐等の形状であってもよい。このように粒子が球形でない場合は、上述のように写真撮影を行い、撮影された粒子の面積を測定し、その面積と同じ面積を有する円の粒径により、第１粒子と第２粒子の径の平均を求める。
【００２８】
なお、吸収性コア２の肌側面２Ａ側と着衣側面２Ｂとの間の領域の高吸収性ポリマー粒子６は、肌側面２Ａから着衣側面２Ｂに向かって、粒径が漸次増大し、Ｖｏｒｔｅｘ法による吸収速度が漸次長くなるように変化してもよい。
また、吸収性コア２を厚さ方向（肌側面２Ａと着衣側面２Ｂとの間の方向）に２分したときに、そのうちの一方である肌側面領域の高吸収性ポリマー粒子全体の平均が上述の第１粒子６Ａと同じ径及び吸収速度であり、着衣側領域の高吸収性ポリマー粒子全体の平均が上述の第２粒子６Ｂと同じ径及び吸収速度であってもよい。
【００２９】
繊維シート３は、例えば、粉砕パルプを含む親水性繊維シートである。繊維シート３は、多量の体液が吸収性コア２に流入された場合等において、体液を吸収するために予備的に配置されている。
コアラップシート４は、吸収性コア２の上面（肌側面）、下面（着衣側面）及び側面を被覆する。このコアラップシート４は、ティッシュペーパー等の液透過性を有するシートにより構成される
【００３０】
本実施形態の吸収体１において、肌側面２Ａから尿等の体液が吸収されると、体液は、まず、第１粒子６Ａが配置されている領域を通過する。このとき、第１粒子６Ａの粒子径が小さいので、第１粒子６Ａ間に形成される隙間が小さくなり、肌側面２Ａ側に配置される液透過性シートに存在する体液を、吸収性コア２側に引き込むことが可能となる。これにより、着用者の肌への体液戻りの量を低減できる。
ここで、例えば、坪量が同じ場合、第１粒子６Ａが存在する領域と第２粒子６Ｂが存在する領域とを比較すると、第１粒子６Ａが存在する領域のほうが、粒子の大きさが小さいため、単位体積あたりの表面積が大きい。そのため、粒子径が小さい第１粒子６Ａは、肌側面２Ａ側に位置する繊維層５の構成繊維間に残存している体液との接触確率を向上させられる。よって、肌側面２Ａ側において高吸収性ポリマー粒子の内部に効率よく体液を取り込めるため、着用者の肌への体液戻りの量を更に低減できる。
また、第１粒子６Ａの粒子径は小さいため、着用者の肌への異物感（粒感）を抑制でき、肌触りを向上させられる。
【００３１】
また、第１粒子６ＡはＶｏｒｔｅｘ法による吸収速度が２２秒以下と短いため、より迅速に体液を吸収する。これにより、着用者の肌への体液戻りの量は更に低減できる。また、この場合、体液が流入すると、表面にある第１粒子６Ａによって瞬時に吸収される。しかし、体液が多量に流入して許容量を超えると、第１粒子６Ａが部分的にゲルブロックを起こす可能性がある。ゲルブロックとは、膨潤した高吸収性ポリマー粒子間で合着する現象である。
【００３２】
ゲルブロックが発生した場合、さらに体液が流入すると、体液は、吸収性コア２表面のゲルブロックが発生している箇所から周囲に広がり、ゲルブロックが発生していない箇所へ流れる。そして、その部分の第１粒子６Ａによって吸収されるか、又は、下（着衣側）に流れて第２粒子６Ｂ間に流れ込む。
第２粒子６Ｂは、体液を吸収する粒子の単位体積あたりの表面積が小さく、また、吸収速度が２２秒より大きく２５秒以下である。
すなわち、第２粒子６Ｂにおいて、第１粒子６Ａによって吸収されなかった体液は比的時間をかけて吸収され、体液は第２粒子６Ｂによって保持される。
体液がさらに多量であって、第２粒子６Ｂによっても保持しきれなかった場合、残りの体液は、吸収性コア２のさらに下層（着衣側）に配置された繊維シート３によって吸収される。
【００３３】
また、第１粒子６Ａが存在する領域において生じたゲルブロックにより、吸収性コア２の側面まで体液が流れ出たような場合、その体液は、コアラップシート４によって外部への流入が阻止される。
また、コアラップシート４の側面によって吸収された体液は、コアラップシート４を伝わって下部（着衣側）のコアラップシート４の着衣側まで流れ、この着衣側で保持されることができる。
コアラップシート４は、さらに、側部を流れる体液だけでなく、繊維シート３から漏れ出した、その繊維シート３によっても吸収しきれなかった体液を吸収することもできる。
【００３４】
なお、第２粒子６ＢのＶｏｒｔｅｘ法による吸収速度に対する第１粒子６ＡのＶｏｒｔｅｘ法による吸収速度の比が１．５を超えた場合には、着衣側面２Ｂ側に配置された第２粒子６Ｂの吸収速度が遅くなるため、肌側面２Ａ側で拡散し着衣面２Ｂ側に移動した体液が更に裏面側に移行してしまい、吸収性コア２の厚さ方向ＴＤ全体で効率よく体液を吸収しにくくなってしまう。また、裏面側の最下層において体液が拡散し、漏れの発生が懸念される。
【００３５】
（第２実施形態）
図２は本発明の第２実施形態の吸収体１Ａを示す図である。第２実施形態の吸収体１Ａは、第１実施形態の吸収体１と、コアラップシート４Ａの着衣側以外同様である。同様の部分には同一の符号を付し、その説明は省略する。
第２実施形態のコアラップシート４Ａは、吸収性コア２の着衣側面を覆う部分の坪量が、吸収性コア２の肌側面を覆う部分の坪量よりも大きい。
【００３６】
本実施形態によると、第１実施形態と同様の効果を有するが、さらに、着衣側に配置されたコアラップシート４は、坪量が大きいため、より体液を多く吸収することができる。
したがって、ゲルブロックにより、吸収性コア２に流れ出た体液は、コアラップシート４の側面を伝わって着衣側の層まで流れ、このコアラップシート４の着衣側によって確実に保持される。
【００３７】
（第３実施形態）
図３は本発明の第３実施形態の吸収体１Ｂを示す図である。第３実施形態の吸収体１Ｂは、第１実施形態の吸収体１と、コアラップシート４Ｂの着衣側以外同様である。同様の部分には同一の符号を付し、その説明は省略する。
第２実施形態のコアラップシート４Ｂは、図１に示すように、吸収性コア２の着衣側面を覆って、吸収性コア２の一側面を延び、吸収性コア２の肌側面を覆って、吸収性コア２の他側面を延び、再度吸収性コア２の着衣側面を覆っている。すなわち、コアラップシート４は、吸収性コア２の着衣側面において二重になっている。
【００３８】
本実施形態によると、第１実施形態と同様の効果を有するが、さらに、着衣側に配置されたコアラップシート４は、二重になっているため、より体液を多く吸収することができる。
したがって、ゲルブロックにより、吸収性コア２に流れ出た体液は、コアラップシート４の側面を伝わって着衣側の層まで流れ、このコアラップシート４の着衣側によって確実に保持される。
なお、本実施形態では、着衣側に配置されたコアラップシートが二重になっている場合について説明したが、これに限定されず、三重以上の多重であってもよい。
【００３９】
（第４実施形態）
図４は本発明の第４実施形態の吸収体１Ｃを示す図である。第４実施形態の吸収性コア２は、第１実施形態の吸収性コア２と、高吸収性ポリマー粒子６の坪量のバランスが異なる。
すなわち、第１実施形態において、第１粒子６Ａが配置されている領域での第１粒子６Ａの坪量と、第二粒子が配置されている領域での第２粒子６Ｂの坪量と、が同じ例について説明した。しかし、第４実施形態では、第１粒子６Ａが配置されている領域での第１粒子６Ａの坪量が、第二粒子が配置されている領域での第２粒子６Ｂの坪量よりも少ない。
このため、本実施形態では、第１粒子６Ａの総表面積が、第１実施形態よりも小さくなり、ゲルブロックの発生の可能性の可能性が第１実施形態より低くなるという効果を有する。
【００４０】
（第５実施形態）
次に、前述した吸収体１を備える吸収性物品の一実施形態について説明する。本実施形態では吸収性物品として使い捨ておむつ１００を例に説明する。図５は使い捨ておむつ１００の展開図であり、肌側（肌と当接する側）から見た図である。
【００４１】
使い捨ておむつ１００は、不織布又は開孔プラスチックフィルムからなる液透過性の表面シート１０２と、プラスチックフィルムからなる液不透過性の裏面シート１０３と、これら両シート１０２，１０３間に配置される第１実施形態の吸収体１と、を備える。この使い捨ておむつ１００は、長手方向ＬＤにおける中央部がくびれた長方形状に形成される。
【００４２】
表面シート１０２及び裏面シート１０３は、使い捨ておむつ１００の外形を構成し、吸収体１の周縁から延出した部分を有する。表面シート１０２と裏面シート１０３とは、吸収体１の周縁から延出した部分においてホットメルト接着剤により接合されている。
また、吸収体１は、コアラップシート４が、ホットメルト接着剤を介して表面シート１０２及び裏面シート１０３に接合されている。コアラップシート４と表面シート１０２及び裏面シート１０３との接合によって、吸収体１は、その位置が固定される他に、吸収体１と表面シート１０２との密着性が向上し、排泄された液体が吸収体１に速やかに浸透する。
【００４３】
使い捨ておむつ１００は、長手方向ＬＤの一端側に配置される前胴周り域１０６と、長手方向ＬＤの他端側に配置される後胴周り域１０７と、これら両胴回り域１０６，１０７間に位置する股下域１０８とを有する。
【００４４】
股下域１０８の左右側縁には、内方に湾曲した左右の脚周り側縁１１６を構成する。おむつ１００の内面には、脚周り側縁１１６よりも内側おいて長手方向ＬＤに延びる一対の防漏カフ１１８が形成されている。
カフ１１８は、その前後端縁部１２１，１２２と外側縁部１２３とがおむつ１００内面に固定されている。一方、カフ１１８の内側縁部１２４は非固着状態にあり、おむつ１００の幅方向を二分する中心線（図示せず）に向かって開口する後述のポケット１１８Ａを形成している。
それぞれのカフ１１８の内側縁部１２４には、前後方向に延びる２本の弾性部材１２５Ａ，１２５Ｂが、伸長状態で取り付けられている。図５の展開状態でカフ１１８は表面シート１０２上面に倒伏し、ポケット１１８Ａが閉じた状態にある。
【００４５】
図６は、おむつ１００を着用状態にしたときの、図５のＸ−Ｘ線断面図である。このように、おむつ１００が着用時においてその内面を内側にして前後方向に湾曲すると、弾性部材１２５Ａ，１２５Ｂが収縮し、図示するようにカフ１１８がおむつ１００内面から起立し、ポケット１１８Ａがおむつ１００の内方へ向かって大きく開口する。
【００４６】
カフ１１８は、表面シート１０２の図５における上側（肌側）に貼着された液不透過性フィルムからなる内側シート１２０と、その内側シート１２０のさらに上側に貼着された液不透過性又は液難透過性不織布からなる外側シート１１９の二重構造となっている。ただし、外側シート１１９は内側シート１２０よりも幅方向ＷＤに長いため、カフ１１８の上側において外側シート１１９は一重となっている。
【００４７】
弾性部材１２５Ａ，１２５Ｂは、図５において下から（図４において、おむつ１００の外側から）弾性部材１２５Ｂ，１２５Ａの順に配置されている。この弾性部材１２５Ｂ，１２５Ａは、カフ１１８の外側シート１１９の内面にホットメルト接着剤（図示せず）によって接着されている。
内側シート１２０は、本実施形態においては、外側シート１１９における弾性部材１２５Ｂが配置されている位置よりも内側まで延びている。ただし、これに限定されず、内側シート１２０はさらに幅広、例えば外側シート１１９と同じ幅であってもよい。
【００４８】
本実施形態の使い捨ておむつ１００において、肌側面２Ａから尿が吸収されると、上述の実施形態と同様に、尿は、まず、第１粒子６Ａが配置されている領域を通過する。
ここで、例えば、坪量が同じ場合、第１粒子６Ａが存在する領域と第２粒子６Ｂが存在する領域とを比較すると、第１粒子６Ａが存在する領域のほうが、粒子の大きさが小さいため、表面積が大きい。
また、第１粒子６ＡはＶｏｒｔｅｘ法による吸収速度が２２秒以下と短いため、より迅速に尿を吸収する。したがって、尿が流入すると、第１粒子６Ａによって瞬時に吸収される。しかし、尿が多量に流入して許容量を超えると、第１粒子６Ａが部分的にゲルブロックを起こす可能性がある。
【００４９】
ゲルブロックが発生した場合、さらに尿が流入すると、尿は、ゲルブロックが発生している箇所より横に広がり、ゲルブロックが発生していない箇所へ流れる。そして、その部分において第１粒子６Ａによって吸収されるか、又は、下（着衣側）に流れて第２粒子６Ｂ間に流れ込む。
第２粒子６Ｂは平均粒径が第１粒子６Ａより大きく、吸収速度が２２秒より大きく２５秒以下である。また、尿を吸収する粒子の表面積も小さい。
すなわち、第２粒子６Ｂにおいて、第１粒子６Ａによって吸収されなかった尿は比較的時間をかけて吸収され、尿は第２粒子６Ｂによって保持される。
尿がさらに多量であって、第２粒子６Ｂによっても保持しきれなかった場合、残りの尿は、吸収性コア２のさらに下層（着衣側）に配置された繊維シート３によって吸収される。
【００５０】
また、第１粒子６Ａが存在する領域において生じたゲルブロックにより、吸収性コア２の側面まで尿が流れ出たような場合、その尿は、コアラップシート４によって外部への流入が阻止される。
また、コアラップシート４の側面によって吸収された尿は、下部（着衣側）にコアラップシート４を伝わって流れ、繊維シート３やコアラップシート４の着衣側によって保持される。
コアラップシート４は、側部を流れる尿だけでなく、繊維シート３から流れる、その繊維シート３によっても吸収しきれなかった尿を吸収することもできる。
【００５１】
また、本実施形態のおむつ１００は、カフ１１８が設けられており、カフ１１８の内側は、少なくとも弾性部材１２５Ｂが設けられている位置までは液不透過性フィルムからなる内側シート１２０が延びている。したがって、さらに液漏れの可能性が低く、尿が確実にポケット１１８Ａ内に保持される。
【００５２】
以上、本発明の好適な実施形態について説明したが、本発明はこれに限定されず、例えば、本発明の吸収体１は、上述したおむつ１００の他に、生理用ナプキン等の使い捨ての体液吸収性物品にも使用することができる。
【符号の説明】
【００５３】
１：吸収体、２：吸収性コア、２Ａ：肌側面、２Ｂ：着衣側面、３：繊維シート、４：コアラップシート、５：繊維層、６：高吸収性ポリマー粒子、６Ａ：第１粒子、６Ｂ：第２粒子、２５：弾性部材、１００：使い捨ておむつ、１０２：表面シート、１０３：裏面シート
【図１】
2013252333.tif 000003
【図２】
2013252333.tif 000004
【図３】
2013252333.tif 000005
【図４】
2013252333.tif 000006
【図５】
2013252333.tif 000007
【図６】
2013252333.tif 000008